(57)【要約】【課題】  作業者の動作を妨げず、腰ベルトのフックが外れにくい工具ホルダーを提供するものである。【解決手段】  工具１を腰に吊下げ保持する工具ホルダーであって、腰ベルト２に添設状態に配されこの腰ベルト２の上端縁２Ａに掛け止めるフック状のベルト掛止部３と、工具１を若しくは工具１を保持する工具保持部４の取付部５を着脱自在に通して吊り上げる吊下環部６とから成り、前記ベルト掛止部３の下部を前記吊下環部６の上部に前後方向に揺動回動自在に枢着したものである。【選択図】      図１
2006239779.tif 000002
【特許請求の範囲】
【請求項１】
工具を腰に吊下げ保持する工具ホルダーであって、腰ベルトに添設状態に配されこの腰ベルトの上端縁に掛け止めるフック状のベルト掛止部と、工具を若しくは工具を保持する工具保持部の取付部を着脱自在に通して吊り上げる吊下環部とから成り、前記ベルト掛止部の下部を前記吊下環部の上部に前後方向に揺動回動自在に枢着したことを特徴とする工具ホルダー。
【請求項２】
前記掛止部は板材の上部を折り返し折曲してフック状に構成し、前記吊下環部は線材で環状に構成し、その環状の一部に開閉部を設けて開閉自在な線状環に構成したことを特徴とする請求項１に記載の工具ホルダー。
【請求項３】
前記掛止部の下部をカール折曲して抱き込み連結部を設け、この抱き込み連結部を、吊下環部の上部に被嵌若しくはこの抱き込み連結部を形成する際に前記吊下環部の上部に被嵌して、掛止部に対して吊下環部を前後方向に揺動回動自在に連結したことを特徴とする請求項１，２のいずれか１項に記載の工具ホルダー。
【請求項４】
前記吊下環部は線材を折曲して環状に形成し、この線材の端部同士が突き合う位置若しくは線材が重合する位置を線材の弾性変形によって離間させて挿通間隙が開閉自在に構成され、この吊下環部に前記工具若しくは前記工具保持部の取付部を挿通して着脱自在に吊下げ得るように構成したことを特徴とする請求項１〜３のいずれか１項に記載の工具ホルダー。
【発明の詳細な説明】
【技術分野】
【０００１】
本発明は、腰ベルトに付設する工具ホルダーに関するものである。
【背景技術】
【０００２】
従来、作業者が工具を腰に携帯するために、フック付きの工具収納ケースやベルト取付板付きの連結環が用いられており、作業者は、工具収納ケースのフックを腰ベルトに掛けて工具を携帯したり、また、ベルト取付板が腰ベルトに挿通されたカラビナに工具を吊り上げて工具を携帯していた。
【発明の開示】
【発明が解決しようとする課題】
【０００３】
しかし、上述した従来のフック付きの工具収納ケースは、フックと工具収納ケースとが一体に固定されているため、フックを腰ベルトに掛けると工具収納ケースも腰にがっちりと固定されてしまい、作業者のしゃがみ込み動作の妨げとなったり、作業者のしゃがみ込み動作により工具収納ケースが上方に押し上げられることで、この工具収納ケースに固定されたフックが腰ベルトから外れてしまうおそれもあった。
【０００４】
また、ベルト取付板付きのカラビナは、ベルトに挿通されたベルト取付板にカラビナが突出した状態で止着固定されているため、作業の妨げとなると共に、溶接止着等の必要があるため量産性が低く、製造コストが掛かってしまう問題があった。
【０００５】
本発明は、上記問題点を解決するもので、腰ベルトのフックが外れて脱落したり、作業者の動作を妨げたりすることがなく、更に低コストでの製造が可能な工具ホルダーを提供するものである。
【課題を解決するための手段】
【０００６】
添付図面を参照して本発明の要旨を説明する。
【０００７】
工具１を腰に吊下げ保持する工具ホルダーであって、腰ベルト２に添設状態に配されこの腰ベルト２の上端縁２Ａに掛け止めるフック状のベルト掛止部３と、工具１を若しくは工具１を保持する工具保持部４の取付部５を着脱自在に通して吊り上げる吊下環部６とから成り、前記ベルト掛止部３の下部を前記吊下環部６の上部に前後方向に揺動回動自在に枢着したことを特徴とする工具ホルダーに係るものである。
【０００８】
また、前記掛止部３は板材の上部を折り返し折曲してフック状に構成し、前記吊下環部６は線材で環状に構成し、その環状の一部に開閉部を設けて開閉自在な線状環に構成したことを特徴とする請求項１に記載の工具ホルダーに係るものである。
【０００９】
また、前記掛止部３の下部をカール折曲して抱き込み連結部７を設け、この抱き込み連結部７を、吊下環部６の上部に被嵌若しくはこの抱き込み連結部７を形成する際に前記吊下環部６の上部に被嵌して、掛止部３に対して吊下環部６を前後方向に揺動回動自在に連結したことを特徴とする請求項１，２のいずれか１項に記載の工具ホルダーに係るものである。
【００１０】
また、前記吊下環部６は線材を折曲して環状に形成し、この線材の端部同士が突き合う位置若しくは線材が重合する位置を線材の弾性変形によって離間させて挿通間隙８が開閉自在に構成され、この吊下環部６に前記工具１若しくは前記工具保持部４の取付部５を挿通して着脱自在に吊下げ得るように構成したことを特徴とする請求項１〜３のいずれか１項に記載の工具ホルダーに係るものである。
【発明の効果】
【００１１】
本発明は上述のように構成したから、ベルト掛止部の掛け外しにより容易に着脱可能で、吊下環部及びこの吊下環部により吊り上げられた工具若しくは工具を保持する工具保持部が作業者の動作を妨げることがなく、また、腰ベルトのフックが外れて脱落することがなく、しかも製造が容易で量産性に秀れる極めて実用的な工具ホルダーとなる。
【００１２】
また、請求項２に記載の発明によれば、掛止部のフックや吊下環部の線状環の形成が容易でコスト高とならず、しかもフックや線状環の強度の高い工具ホルダーとなる。
【００１３】
また、請求項３に記載の発明によれば、抱き込み連結部の形成が容易でコスト高とならず強度が向上すると共に、掛止部に対する吊下環部の前後方向への揺動回動を滑らかに行うことができ、加えて、前記吊下環部の上部に被嵌しながら抱き込み連結部を形成する方法によれば、製造が一層効率化できる工具ホルダーとなる。
【００１４】
また、請求項４に記載の発明によれば、吊下環部への工具若しくは工具保持部の掛脱を簡易且つ迅速に行える工具ホルダーとなる。
【発明を実施するための最良の形態】
【００１５】
ベルト２の上端縁２Ａにフック状のベルト掛止部３を掛け止めし、このベルト掛止部３に連結されている吊下環部６に工具１若しくは工具１を保持する工具保持部４を吊り上げると、少なくともこの吊下環部６はベルト掛止部３に対して前後方向に揺動回動自在に連結されているため、工具１は腰に対して前後方向に振動可能に吊り下げられる。
【００１６】
従って、作業者のしゃがみ込み動作により、吊下環部６により吊り上げた工具１若しくは工具１を保持する工具保持部４が作業者の動作を妨げたり、腰ベルト２に掛け止めしたベルト掛止部３が外れて脱落したりしない。
【００１７】
即ち、フック掛けにより腰ベルト２に掛け止めして、このフックと一体に腰にがっちりと固定してしまうような従来の工具収納ケースは、例えばしゃがみ込み動作等の際に、腰にがっちりと固定された工具収納ケースが作業者の大腿部に当たって作業者の動作を妨げてしまったり、また、例えばこの工具収納ケースが、しゃがみ込み動作の際に作業者の大腿部に当たって上方に押し上げられると、この工具収納ケースに固定されたフックも同様に上方に押し上げられて、腰ベルト２からフックが外れて脱落し易い。即ち、従来の工具収納ケースは、フックにより簡単に腰ベルト２に掛け止めできる反面、フックにより腰にがっちりと固定されたものであるために作業者のしゃがみ込み動作を妨げたり、またそのしゃがみ込み動作の際に、工具収納ケースが上方に押されてフックが簡単に腰ベルト２から外れて脱落してしまう場合が危惧される。また、ベルトに挿通されたベルト取付板にカラビナが突出した状態で溶接固定されているような従来のベルト取付板付きのカラビナは、突出したカラビナが作業の邪魔になる場合が危惧される。この点本発明は、フック状のベルト掛止部３の下部を、吊下環部６の上部に前後方向に揺動回動自在に枢着したから、ベルト掛止部３に吊下げられた吊下環部６が突出して作業の邪魔になることがなったり、しゃがみ込み動作の際に作業者の大腿部の動きに合わせて前後方向に揺動回動して作業者のしゃがみ込み動作を妨げることがなくなると共に、工具１若しくは工具１を保持する工具保持部４が、しゃがみ込み動作の際に作業者の大腿部に当たって上方に押し上げられても、この工具１若しくは工具１を保持する工具保持部４を吊り上げる吊下環部６がベルト掛止部３に対して前後方向に揺動回動することにより、ベルト掛止部３を上方に押し上げることが抑制され、従って、腰ベルト２に掛け止めしたベルト掛止部３が外れて脱落してしまうことがない。
【００１８】
即ち、容易に着脱し得るコスト安な簡易なフックを採用したベルト掛止部３であっても、このベルト掛止部３に対して前後方向に揺動回動する吊下環部６により、効果的に腰ベルト２からの脱落を防止し得る。
【００１９】
また、更にベルト掛止部３を板材で形成し、吊下環部６を線材で構成すれば、大きく突出部分は一切なくし邪魔となるようなこともない。
【００２０】
また、更に例えば、前記掛止部３は板材の上部を折り返し折曲してフック状に構成し、前記吊下環部６は線材で環状に構成し、その環状の一部に開閉部を設けて開閉自在な線状環に構成した場合、ベルト掛止部３のフックや吊下環部６の線状環の形成が一層容易でコスト高とならず、しかもフックや線状環の強度が高い。
【００２１】
また、例えば、前記掛止部３の下部をカール折曲して抱き込み連結部７を設け、この抱き込み連結部７を、吊下環部６の上部に被嵌若しくはこの抱き込み連結部７を形成する際に前記吊下環部６の上部に被嵌して、掛止部３に対して吊下環部６を、前後方向に揺動回動自在に連結した場合、抱き込み連結部７の形成が容易でコスト高とならず強度が向上すると共に、ベルト掛止部３に対する吊下環部６の前後方向への揺動回動を滑らかに行うことができ、加えて、前記吊下環部６の上部に被嵌しながら抱き込み連結部７を形成する方法によれば製造が一層効率化する。
【００２２】
また、例えば、前記吊下環部６は線材を折曲して環状に形成し、この線材の端部同士が突き合う位置若しくは線材が重合する位置を線材の弾性変形によって離間させて挿通間隙８が開閉自在に構成され、この吊下環部６に前記工具１若しくは前記工具保持部４の取付部５を挿通して着脱自在に吊下げ得るように構成した場合、線材の弾性変形により開閉部の離間を極めて容易に行い得るため、吊下環部６への工具１若しくは工具保持部４の掛脱が簡易且つ迅速になる。
【実施例】
【００２３】
本発明の実施例を図１〜図６に基づき説明する。
【００２４】
本実施例は、図１に示すように、フック状のベルト掛止部３の下部に抱き込み連結部７が設けられ、この抱き込み連結部７に吊下環部６の上部が被嵌されてなる工具ホルダーである。
【００２５】
以下にベルト掛止部３について具体的に説明する。
【００２６】
ベルト掛止部３は、折曲可能で且つ強度の高い板材により構成されている。
【００２７】
具体的には、本実施例は板材として薄板状の金属板材を採用し、この金属板材の上部は、折り返し折曲によりフック状に形成している。
【００２８】
また、本実施例の前記金属板材の下部は、カール折曲により図３に図示したような側面視Ｏ字状の抱き込み連結部７を形成している。
【００２９】
即ち、本実施例の金属板材の下部に形成された抱き込み連結部７は、一枚の金属板材を側面視Ｏ字状となるようにカール折曲することにより、滑らかな筒状となるように形成されている。このように、一枚の金属板材の折曲により形成される本実施例のベルト掛止部３は、製造が容易で量産性に秀れている。
【００３０】
尚、折り返し折曲により形成したフック状の端部、即ち抱き込み連結部７とは反対側の端部は、図３に図示したように、腰ベルト２を導入し易くするように、抱き込み連結部７側に近づいた後、再び該抱き込み連結部７から徐々に離れて行くように湾曲させた導入ガイドを形成している。
【００３１】
次に吊下環部６について具体的に説明する。
【００３２】
吊下環部６は、折曲可能で且つ強度及び弾性の高い線材により構成されている。
【００３３】
具体的には、本実施例は線材として金属線材を採用し、更に具体的には金属線材として、図３に図示したような断面視Ｏ字状のものを採用している。
【００３４】
また、本実施例はこの金属線材を略四角環状に形成している。尚、金属線材による線状環は、本実施例の略四角環だけではなく、目的に合わせて適宜な形状の線状環として良い。
【００３５】
また、本実施例の吊下環部６は、図１に図示したように略四角環状に形成された前記金属線材の両端部同士を重合させるように形成しており、この線材の両端部同士の重合する部分を開閉部としている。
【００３６】
具体的には、本実施例の吊下環部６の開閉部は、重合する線材を夫々指でつまんで、この重合する線材同士を該線材の弾性変形によって離間させることにより、図２に図示したように工具１若しくは前記工具保持部４の取付部５を挿通し得る挿通間隙８を形成している。このように、一本の金属線材の折曲により形成される本実施例の吊下環部６は、製造が容易で量産性に秀れている。
【００３７】
尚、本実施例の吊下環部６の開閉部は、図６に図示したような金属線材の端部同士の突き合う部分を弾性変形によって離間させることによりなる開閉部としても良いが、両端部同士を重合させることにより吊下環部６に吊げられた工具１等の脱落を確実に防止できる本実施例の開閉部がより好ましい。
【００３８】
次に本実施例のベルト掛止部３と吊下環部６との枢着方法について具体的に説明する。
【００３９】
上述した本実施例のベルト掛止部３と吊下環部６とは、図３に図示したように、ベルト掛止部３の下部に設けた抱き込み連結部７に吊下環部６の上部を枢着し、掛止部３に対して吊下環部６を前後方向に揺動回動自在に連結している。
【００４０】
具体的には、本実施例はベルト掛止部３の下部をカール折曲して抱き込み連結部７を形成する際に、このベルト掛止部３の下部にあらかじめ吊下環部６の上部を載置しておくことで、抱き込み連結部７の形成の際に、吊下環部６の上部に対する抱き込み連結部７の被嵌が行われ、よって、ベルト掛止部３の下部と吊下環部６の上部とが枢着されるようにしている。このようにベルト掛止部３の下部のカール折曲と、吊下環部６の上部の被嵌とを同時に行う方法は、あらかじめ抱き込み連結部７を形成した後に、この抱き込み連結部７に吊下環部６を被嵌する方法と比し容易且つ効率的な製造方法であり、量産性に秀れる。
【００４１】
また、本実施例の吊下環部６の上部には、抱き込み連結部７に被嵌された際に、吊下環部６の線材の軸方向への移動（ずれ）を防止するために、段差９が設けられている。
【００４２】
具体的には、本実施例の吊下環部６の上部における抱き込み連結部７の幅と略同等の幅の線材が凸状となるような段差９を左右に形成とすることにより、抱き込み連結部７の吊下環部６の線材の軸方向への移動（ずれ）を防止する構成としている。
【００４３】
尚、吊下環部６の上部に段差９を設けないものでも良いが、吊り上げられた工具１等の重みにより、抱きこみ連結部７に対して吊下環部６の上部の線材が軸方向へ横ズレして、抱きこみ連結部７における荷重の掛かり具合が不均一になり、抱きこみ連結部７が破損するといったことが危惧される本実施例のような形状の線状環の場合には段差９を設けることが望ましい。
【００４４】
本実施例の工具ホルダーの使用方法について説明する。
【００４５】
本実施例の工具ホルダーは、先ずベルト掛止部３を腰ベルト２の上端縁２Ａに掛け止めて、ベルト掛止部３が腰ベルト２に添設状態となるようにする。具体的には、ベルト掛止部３を腰ベルト２の下端から内側にくぐらせて、図４，図５に図示したように、ベルト掛止部３の抱き込み連結部７とは反対側の端部が腰ベルト２の前面に配されるようにする。
【００４６】
尚、ベルト掛止部３は、腰ベルト２の下端から内側にくぐらせずに、腰ベルト２の上端縁２Ａに掛け止めても良いが、脱落を確実に防止し得る本実施例の方が望ましい。
【００４７】
次に、この腰ベルト２に掛止されたベルト掛止部３の抱き込み連結部７により上部が枢着されて吊下げられた吊下環部６に、図４，図５に図示したように工具１や工具１を保持する工具保持部４の取付部５を通して吊り上げる。即ち、上述したとおり、吊下環部６に設けられた開閉部の重合する線材同士を指でつまんで弾性変形によって離間させて、工具１や工具保持部４の取付部５を挿通できる程度の挿通間隙８を形成して、この挿通間隙８からこの工具１や工具１を保持する工具保持部４の取付部５を通して吊り上げる。
【００４８】
本実施例は上述のように構成したから、ベルト掛止部３の掛け外しにより着脱が極めて容易に行えると共に、製造が容易で量産性に秀れる極めて実用的な工具ホルダーとなる。
【００４９】
また、本実施例は作業者のしゃがみ込み動作に伴い、工具１若しくは工具１を保持する工具保持部４を吊り上げた吊下環部６が、ベルト掛止部３に対して前後方向に揺動回動して作業者のしゃがみ込み動作等の妨げとなることがない極めて実用的な工具ホルダーとなる。
【００５０】
また、本実施例は工具１若しくは工具１を保持する工具保持部４が、しゃがみ込み動作の際に作業者の大腿部に当たって上方に押し上げられても、この工具１若しくは工具１を保持する工具保持部４を吊り上げる吊下環部６がベルト掛止部３に対して前後方向に揺動回動することで、ベルト掛止部３が上方に押し上げられることがなくなり、腰ベルトからベルト掛止部３が外れて脱落してしまうこともない極めて実用的な工具ホルダーとなる。
【００５１】
尚、ベルト掛止部３が上方に押し上げられても腰ベルトから外れてしまわないように、確実な掛止を達成し得る構造とすることも出来るが、このように腰ベルトから外れにくいベルト掛止部３は着脱しにくく、コストも掛かるため現実的ではない。この点本実施例の導入ガイドが設けられたベルト掛止部３は、低コストで製造でき、且つ腰ベルト２を容易に掛け止めし得る反面、上方に押し上げられることにより腰ベルト２から外れ易いものであるが、このような本実施例のベルト掛止部３であっても、このベルト掛止部３に対して前後方向に揺動回動する吊下環部６により、効果的に腰ベルト２からの脱落を防止することができる。
【００５２】
また、本実施例は、作業者が腰に吊り下がった吊下環部６を掴んでベルト掛止部３に対して前後方向に揺動回動させて、この吊下環部６における工具１の出し入れ若しくは工具保持部４からの工具１の出し入れを行うことができるため、従来のように、腰にがっちりと固定された収納ケースから工具１を取り出す場合のように手間取ることなく、スムーズに工具１等の出し入れを行うことができる工具ホルダーとなる。
【００５３】
また、本実施例は、ベルト掛止部３や抱き込み連結部７を、一枚の薄板状の金属板材を折曲することによって夫々フック状や筒状に形成しているため、形成が容易でコスト高とならず、例えば、複数の板材を繋ぎ合わせてフック状や筒状の部分を形成した場合に比して高い強度を保つことができる工具ホルダーとなる。
【００５４】
また、本実施例は、吊下環部６を、一本の金属線材を折曲することによって略四角環状に形成しているため、形成が容易でコスト高とならず、例えば、複数の線材を繋ぎ合わせて略四角環状の吊下環部６を形成する場合に比して高い強度を保つことができる工具ホルダーとなる。
【００５５】
また、本実施例は、上述したとおり、吊下環部６を、カール折曲により滑らかな筒状に形成された強度の高い抱き込み連結部７に枢着するから、吊下環部６に吊り上げられた工具１などの重量が重い場合であっても、ベルト掛止部３に対して吊下環部６を常に滑らかに前後方向へ揺動回動させることができると共に、ベルト掛止部３が吊下環部６を確実に吊下げ保持できる工具ホルダーとなる。
【００５６】
また、本実施例の吊下環部６は、開閉部として重合する線材同士の弾性変形を利用するから、開閉部の形成が容易でコスト高とならず、また、吊下環部６の開閉部は、重合する線材の夫々を指でつまんで、重合する線材同士を弾性変形によって離間させる簡単な手間で挿通間隙８を形成できるから、工具１や工具１を保持する工具保持部４の吊下げ及び掛脱を簡易且つ迅速に行うことができる工具ホルダーとなる。
【００５７】
また、本実施例は、略四角環状の吊下環部６の上部に段差９を設けたから、吊り上げられた工具１等の重みにより、抱きこみ連結部７に対して略四角環状の吊下環部６の上部の線材が軸方向へ横ズレして、抱きこみ連結部７における荷重の掛かり具合が不均一になり、抱きこみ連結部７が破損するといったことが生じにくい工具ホルダーとなる。
【図面の簡単な説明】
【００５８】
【図１】本実施例の斜視図である。
【図２】本実施例の吊下環部の開閉状態の斜視図である。
【図３】本実施例の断面図である。
【図４】本実施例の使用状態を示す平面図である。
【図５】本実施例の使用状態を示す平面図である。
【図６】本実施例の吊下環部の別例を示す平面図である。
【符号の説明】
【００５９】
１  工具
２  腰ベルト
３  ベルト掛止部
４  工具保持部
５  取付部
６  吊下環部
７  抱き込み連結部
８  挿通間隙
【図１】
2006239779.tif 000003
【図２】
2006239779.tif 000004
【図３】
2006239779.tif 000005
【図４】
2006239779.tif 000006
【図５】
2006239779.tif 000007
【図６】
2006239779.tif 000008